(57)【要約】【課題】簡単なレバー・アームの操作で開閉の両機能を兼ね備えたレバー・アーチ型ファイル機構を提供する。【解決手段】レバー・アーチ型ファイル機構は、台座と、台座に固定されるとともに、台座から上方に延びて各書類の穴に通して嵌め込む一対のリングを備え、各リングは台座に固定された支柱と、台座及び支柱に対して移動可能なアーチ部を含む。ファイル機構は、更に、支柱に対してリングが閉じられた位置とリングが開かれた位置との間でアーチ部を移動させるための操作レバーを備え、アーチ部は曲げ部と一体的に接合され、曲げ部はその中央点に関して非対称的に曲げられた構成であり、操作レバーを曲げ部に作用させることによりアーチ部を回動させてリングを開閉する。【選択図】図１０
2008168616.tif 000002
【特許請求の範囲】
【請求項１】
台座と、
前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、
前記リングが閉じ状態となる位置と前記リングが開き状態となる位置との間で、前記アーチ部材を前記支柱部材に対して移動させるためのレバーを備え、
前記レバーは、前記リングを選択的に開き状態または閉じ状態とする第１アーム部材及び第２アーム部材を有することを特徴とするレバー・アーチ型ファイル機構。
【請求項２】
前記第１アーム部材は上向きに枢軸の回りに回動して前記リングを開くことが可能であるとともに、下向きに枢軸の回りに回動して前記リングを閉じることが可能であり、前記第２アーム部材は下向きに枢軸の回りに回動して前記リングを開くことが可能であるとともに、上向きに枢軸の回りに回動して前記リングを閉じることが可能である請求項１記載のファイル機構。
【請求項３】
台座と、
前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、
前記リングが閉じ状態となる位置と前記リングが開き状態となる位置との間で、前記アーチ部材を前記支柱部材に対して移動させるためのレバーを備え、
前記アーチ部材は曲げ部と一体的に接合され、前記曲げ部はその中央点に関して非対称的に曲げられた構成であることを特徴とするレバー・アーチ型ファイル機構。
【請求項４】
前記曲げ部は、異なる傾斜を有する２つの経路に沿う２つの側部上において、その中央点からその長さ方向に沿って下降することを特徴とする請求項３記載のファイル機構。
【請求項５】
前記レバーは、前記曲げ部に沿って移動可能であって前記リングを選択的に開または閉じ状態とする作動部と嵌合し、前記作動部は前記曲げ部の中央点近傍から急勾配傾斜の経路に沿ってその長さ方向に移動するように構成されたことを特徴とする請求項４記載のファイル機構。
【請求項６】
台座と、
前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、
前記リングが閉じ状態となる位置と前記リングが開き状態となる位置との間で、前記アーチ部材を前記支柱部材に対して移動させるためのレバーを備え、
前記アーチ部材は曲げ部と一体的に接合され、
偏倚手段が前記曲げ部に作用して前記アーチ部材を開き状態の配置方向に偏倚させ、
前記偏倚手段は前記曲げ部の最下端部とは非接触であることを特徴とするレバー・アーチ型ファイル機構。
【請求項７】
前記偏倚手段はバネ板であることを特徴とする請求項６記載のファイル機構。
【請求項８】
前記バネ板は概略台形の形状であることを特徴とする請求項７記載のファイル機構。
【請求項９】
前記バネ板は２つの概略平行な側部を有し、そのうち短い方の側部は前記曲げ部に当接することを特徴とする請求項８記載のファイル機構。
【請求項１０】
台座と、
前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、
前記リングが閉じ状態となる位置と前記リングが開き状態となる位置との間で、前記アーチ部材を前記支柱部材に対して移動させるためのレバーを備え、
前記アーチ部材は曲げ部と一体的に接合され、
偏倚手段が前記曲げ部に作用して前記アーチ部材を開き状態の配置方向に偏倚させ、
前記偏倚手段は前記曲げ部の中央点に関して非対称的に配置されたことを特徴とするレバー・アーチ型ファイル機構。
【請求項１１】
前記偏倚手段はバネ板であることを特徴とする請求項１０記載のファイル機構。
【請求項１２】
前記バネ板は概略台形の形状であることを特徴とする請求項１１記載のファイル機構。
【請求項１３】
前記バネ板は２つの概略平行な側部を有し、そのうち短い方の側部は前記曲げ部に当接することを特徴とする請求項１２記載のファイル機構。
【請求項１４】
台座と、
前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、
前記リングが閉じ状態となる位置と前記リングが開き状態となる位置との間で、前記アーチ部材を前記支柱部材に対して移動させるための少なくとも１つのアーム部材を有するレバーを備え、
前記アーム部材の先端は、それに近い方のリングを超えて実質４０ｍｍ以内の水平距離だけ延びることを特徴とするレバー・アーチ型ファイル機構。
【請求項１５】
前記アーム部材の先端は、前記リングが閉じ状態のときに、それに近い方のリングを超えて実質４０ｍｍ以内の水平距離だけ延びることを特徴とする請求項１４記載のファイル機構。
【請求項１６】
前記レバーは２個のアーム部材を有し、各アーム部材の先端は、それぞれ近い方のリングを超えて実質４０ｍｍ以内の水平距離だけ延びることを特徴とする請求項１４記載のファイル機構。
【請求項１７】
台座と、
前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、
前記リングが閉じ状態となる位置と前記リングが開き状態となる位置との間で、前記アーチ部材を前記支柱部材に対して移動させるための少なくとも１つのアーム部材を有するレバーを備え、
前記アーム部材は、下方位置と上方位置との間で枢軸の回りに回動することで前記リングを選択的に開くか又は閉じることが可能であり、
前記アーム部材が下方位置にあるときに、前記アーム部材の先端は、前記台座の底部から少なくとも実質６ｍｍだけ上方に位置することを特徴とするレバー・アーチ型ファイル機構。
【請求項１８】
前記レバーは２個のアーム部材を有し、それぞれ前記アーム部材が前記下方位置にあるときに、前記各アーム部材の先端は、前記台座の底部から少なくとも実質６ｍｍだけ上方に位置することを特徴とする請求項１７記載のファイル機構。
【請求項１９】
台座と、
前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、
２つの安定位置の間で枢軸の回りに回動することで、前記リングが閉じ状態となる位置と前記リングが開き状態となる位置との間で、第１のアーチ部材に対して第２のアーチ部材を移動させることが可能な少なくとも１つのアーム部材を有するレバーを備え、
前記レバーは、前記２つの安定位置の間で実質４５°の範囲内で枢軸の回りに回動することを特徴とするレバー・アーチ型ファイル機構。
【請求項２０】
前記２つの安定位置の間で枢軸の回りに回動する前記レバーの回動の範囲を制限するための手段を更に有する請求項１９記載のファイル機構。
【請求項２１】
前記レバーは、２つの側端部の各々が停止部材を有する本体を備えたことを特徴とする請求項２０記載のファイル機構。
【請求項２２】
前記台座から上向きに延在する壁部材を備え、前記停止部材は前記レバーと共に移動可能であり、前記壁部材に当接して前記レバーの回動の範囲を制限することを特徴とする請求項２１記載のファイル機構。
【請求項２３】
前記レバーは、曲がった溝が形成された本体を備えたことを特徴とする請求項２０記載のファイル機構。
【請求項２４】
前記台座から上向きに延在する壁部材を備え、前記壁部材の主面から延びるピンが前記レバーの曲がった溝内で受け止められることを特徴とする請求項２３記載のファイル機構。
【請求項２５】
台座と、
前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、
前記リングが閉じ状態となる位置と前記リングが開き状態となる位置との間で、前記アーチ部材を前記支柱部材に対して移動させるためのレバーを備え、
前記アーチ部材は曲げ部と一体的に接合され、
前記レバーで搬送される作動装置が２つの安定位置の間を前記曲げ部上面に沿って移動することで、前記リングの開閉を行い、
前記２つの安定位置の間を前記作動装置により移動される水平距離が実質８．５ｍｍ以内であることを特徴とするレバー・アーチ型ファイル機構。
【請求項２６】
台座と、
前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、
前記リングが閉じ状態となる位置と前記リングが開き状態となる位置との間で、前記支柱部材に対して前記アーチ部材を移動させることが可能な少なくとも１つのアーム部材を有するレバーを備え、
前記アーチ部材は曲げ部と一体的に接合され、
前記アーム部材は成型又はシート材料で形成されたことを特徴とするレバー・アーチ型ファイル機構。
【請求項２７】
台座と、
前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、
前記台座から上向きに延在する壁部材に対して枢軸の回りに回動可能に装着され、前記リングが閉じ状態となる位置と前記リングが開き状態となる位置との間で、前記支柱部材に対して前記アーチ部材を移動させることが可能なレバーを備え、
前記アーチ部材は曲げ部と一体的に接合され、
偏倚手段が前記曲げ部に作用して前記アーチ部材を開き状態の配置方向に偏倚させ、
前記偏倚手段は、前記レバーが前記壁部材に対して枢軸の回りに回動可能に装着された枢軸点に関して非対称的に配置されたことを特徴とするレバー・アーチ型ファイル機構。
【請求項２８】
前記偏倚手段はバネ板であることを特徴とする請求項２７記載のファイル機構。
【請求項２９】
前記バネ板は概略台形の形状であることを特徴とする請求項２８記載のファイル機構。
【請求項３０】
台座と、
前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、
前記リングが閉じ状態となる位置と前記リングが開き状態となる位置との間で、前記アーチ部材を前記支柱部材に対して移動させるための少なくとも１つのアームを有するレバーを備え、
前記アーム部材は、下方位置と上方位置との間で枢軸の回りに回動することで前記リングを選択的に開くか又は閉じることが可能であり、
前記アーム部材が上方位置にあるときに、前記アーチ部材の一方は、前記書類片の穴に挿入されるとともに、前記アーチ部材のもう一方は、前記書類片の穴から抜き取られることを特徴とするレバー・アーチ型ファイル機構。
【請求項３１】
前記アーム部材が前記上方位置にあり、前記リングが前記開き状態にあるときは、前記アーム部材とそれに近接した方のアーチ部材との間の垂直方向の距離は少なくとも８ｍｍであることを特徴とする請求項３０記載のファイル機構。
【請求項３２】
台座と、
前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、
前記リングが閉じ状態となる位置と前記リングが開き状態となる位置との間で、前記アーチ部材を前記支柱部材に対して移動させるためのレバーを備え、
前記レバーは第１及び第２のアーム部材を含み、
前記第１のアーム部材の少なくとも一部は、前記第２のアーム部材の少なくとも一部と異なった色相であることを特徴とするレバー・アーチ型ファイル機構。
【発明の詳細な説明】
【技術分野】
【０００１】
本発明はパンチ穴が形成された所望の書類をファイルに綴じ込んだり、ファイルから取り出したりするための装置に関し、特に、レバー・アーチ型ファイル機構を備えた装置に関するものである。
【背景技術】
【０００２】
現在使用されている殆どのレバー・アーチ型ファイル機構では、単一のアームで構成されたレバーを備え、一組の固定支柱に対して一組のアーチ部を枢転（枢軸を回転軸として回動）させて、パンチ穴が形成された多量の書類をファイル機構から取り出したりファイル機構に綴じ込んだりするとともに、支柱とアーチ部を連結して一組の閉じたリングを形成し、書類を保持している。レバーの設置位置のために、一対のリングが開き状態のときは、書類は一対の固定支柱から取り出したり、該固定支柱に綴じ込んだりできるのみである。しかし、書類を一組の枢軸の回りに回動可能なアーチ部から取り出したり、又は該アーチ部に綴じ込んだりすることはできない。
【発明の開示】
【発明が解決しようとする課題】
【０００３】
現在使用されている他の形態のレバー・アーチ型ファイル機構としては、２つのアームで構成されたレバーを備え、一対のアーチ部が枢軸の回りに回動可能となるように構成したものがある。しかし、このようなファイル機構の大部分では、レバーの一方のアームは、下向きに枢軸の回りに回動して一対のアーチ部を開くように機能する「開き」専用のアームとして構成され、レバーのもう一方のアームは、下向きに枢軸の回りに回動してアーチ部の対を閉じるように作用する「閉じ」専用のアームとして構成されている。この場合、「開き」専用アームは上記一対のリングを閉じるように動作することはできず、「閉じ」専用アームは上記一対のリングを開くように動作することはできない。
【０００４】
従って、本発明の目的は、前述の問題点を解消するレバー・アーチ型ファイル機構であって、１つのレバー・アームの操作でリングを開閉する両機能を兼ね備え、利便性に優れたファイル機構を提供することである。
【課題を解決するための手段】
【０００５】
上記目的を達成するために、本発明の第１の態様によるレバー・アーチ型ファイル機構は、台座と、前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、前記リングが閉じ状態となる位置と前記リングが開き状態となる位置との間で、前記アーチ部材を前記支柱部材に対して移動させるためのレバーを備え、前記レバーは、前記リングを選択的に開き状態または閉じ状態とする第１アーム部材及び第２アーム部材を有することを特徴とする。
【０００６】
本発明の第２の態様によるレバー・アーチ型ファイル機構は、台座と、前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、前記リングが閉じ状態となる位置と前記リングが開き状態となる位置との間で、前記アーチ部材を前記支柱部材に対して移動させるためのレバーを備え、前記アーチ部材は曲げ部と一体的に接合され、前記曲げ部はその中央点に関して非対称的に曲げられた構成であることを特徴とする。
【０００７】
本発明の第３の態様によるレバー・アーチ型ファイル機構は、台座と、前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、前記リングが閉じ状態となる位置と前記リングが開き状態となる位置との間で、前記アーチ部材を前記支柱部材に対して移動させるためのレバーを備え、前記アーチ部材は曲げ部と一体的に接合され、偏倚手段が前記曲げ部に作用して前記アーチ部材を開き状態の配置方向に偏倚させ、前記偏倚手段は前記曲げ部の最下端部とは非接触であることを特徴とする。
【０００８】
本発明の第４の態様によるレバー・アーチ型ファイル機構は、台座と、前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、前記リングが閉じ状態となる位置と前記リングが開き状態となる位置との間で、前記アーチ部材を前記支柱部材に対して移動させるためのレバーを備え、前記アーチ部材は曲げ部と一体的に接合され、偏倚手段が前記曲げ部に作用して前記アーチ部材を開き状態の配置方向に偏倚させ、前記偏倚手段は前記曲げ部の中央点に関して非対称的に配置されたことを特徴とする。
【０００９】
本発明の第５の態様によるレバー・アーチ型ファイル機構は、台座と、前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、前記リングが閉じ状態となる位置と前記リングが開き状態となる位置との間で、前記アーチ部材を前記支柱部材に対して移動させるための少なくとも１つのアーム部材を有するレバーを備え、前記アーム部材の先端は、それに近い方のリングを超えて実質４０ｍｍ以内の水平距離だけ延びることを特徴とする。
【００１０】
本発明の第６の態様によるレバー・アーチ型ファイル機構は、台座と、前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、前記リングが閉じ状態となる位置と前記リングが開き状態となる位置との間で、前記アーチ部材を前記支柱部材に対して移動させるための少なくとも１つのアーム部材を有するレバーを備え、前記アーム部材は、下方位置と上方位置との間で枢軸の回りに回動することで前記リングを選択的に開くか又は閉じることが可能であり、前記アーム部材が下方位置にあるときに、前記アーム部材の先端は、前記台座の底部から少なくとも実質６ｍｍだけ上方に位置することを特徴とする。
【００１１】
本発明の第７の態様によるレバー・アーチ型ファイル機構は、台座と、前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、２つの安定位置の間で枢軸の回りに回動することで、前記リングが閉じ状態となる位置と前記リングが開き状態となる位置との間で、第１のアーチ部材に対して第２のアーチ部材を移動させることが可能な少なくとも１つのアーム部材を有するレバーを備え、前記レバーは、前記２つの安定位置の間で実質４５°の範囲内で枢軸の回りに回動することを特徴とする。
【００１２】
本発明の第８の態様によるレバー・アーチ型ファイル機構は、台座と、前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、前記リングが閉じ状態となる位置と前記リングが開き状態となる位置との間で、前記アーチ部材を前記支柱部材に対して移動させるためのレバーを備え、前記アーチ部材は曲げ部と一体的に接合され、前記レバーで搬送される作動装置が２つの安定位置の間を前記曲げ部上面に沿って移動することで、前記リングの開閉を行い、前記２つの安定位置の間を前記作動装置により移動される水平距離が実質８．５ｍｍ以内であることを特徴とする。
【００１３】
本発明の第９の態様によるレバー・アーチ型ファイル機構は、台座と、前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、前記リングが閉じ状態となる位置と前記リングが開き状態となる位置との間で、前記支柱部材に対して前記アーチ部材を移動させることが可能な少なくとも１つのアーム部材を有するレバーを備え、前記アーチ部材は曲げ部と一体的に接合され、前記アーム部材は成型又はシート材料で形成されたことを特徴とする。
【００１４】
本発明の第１０の態様によるレバー・アーチ型ファイル機構は、台座と、前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、前記台座から上向きに延在する壁部材に対して枢軸の回りに回動可能に装着され、前記リングが閉じ状態となる位置と前記リングが開き状態となる位置との間で、前記支柱部材に対して前記アーチ部材を移動させることが可能なレバーを備え、前記アーチ部材は曲げ部と一体的に接合され、偏倚手段が前記曲げ部に作用して前記アーチ部材を開き状態の配置方向に偏倚させ、前記偏倚手段は、前記レバーが前記壁部材に対して枢軸の回りに回動可能に装着された枢軸点に関して非対称的に配置されたことを特徴とする。
【００１５】
本発明の第１１の態様によるレバー・アーチ型ファイル機構は、台座と、前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、前記リングが閉じ状態となる位置と前記リングが開き状態となる位置との間で、前記アーチ部材を前記支柱部材に対して移動させるための少なくとも１つのアームを有するレバーを備え、前記アーム部材は、下方位置と上方位置との間で枢軸の回りに回動することで前記リングを選択的に開くか又は閉じることが可能であり、前記アーム部材が上方位置にあるときに、前記アーチ部材の一方は、前記書類片の穴に挿入されるとともに、前記アーチ部材のもう一方は、前記書類片の穴から抜き取られることを特徴とする。
【００１６】
本発明の第１２の態様によるレバー・アーチ型ファイル機構は、台座と、前記台座に固定されるとともに、前記台座から上方に延びて所望の書類の一対の穴に通して嵌め込む少なくとも２個のリングとを備え、各リングは前記台座に固定された支柱部材と、前記台座及び前記支柱部材に対して移動可能なアーチ部材を含み、前記リングが閉じ状態となる位置と前記リングが開き状態となる位置との間で、前記アーチ部材を前記支柱部材に対して移動させるためのレバーを備え、前記レバーは第１及び第２のアーム部材を含み、前記第１のアーム部材の少なくとも一部は、前記第２のアーム部材の少なくとも一部と異なった色相であることを特徴とする。
【発明の効果】
【００１７】
本発明によれば、支柱に対してアーチ部材を確実に回動させるとともに、リングが閉じたときに、トロフ部の最下点が台座の底部に更に近接することが可能となり、簡単なレバー・アームの操作でリングを開閉する両機能を兼ね備え、利便性に優れたファイル機構を提供することができる。
【発明を実施するための最良の形態】
【００１８】
以下、本発明の実施の形態について、図面を参照しながら説明する。本発明の目的、利点、態様及び特徴は、添付の図面を参照して記載された好ましい実施形態の詳細な説明を考慮することで、更に充分に理解されるであろう。
（実施の形態１）
【００１９】
図１Ａ〜１Ｄ及び図３乃至図５は、本発明の実施の形態１に係るレバー・アーチ型ファイル機構１００においてリングが閉じた状態を示し、図２Ａ〜２Ｄ及び図６乃至図９は、リングが開いた状態のファイル機構１００を示している。
【００２０】
ファイル機構１００は、ステンレス鋼などの金属薄板（以後、「金属シート」とも呼ぶ）で一体的に形成された台座１０２を備える。互いに離間した位置に２個の支柱１０４が台座１０２に固定されている。２個の支柱１０４に対応するように、２個のアーチ部１０６が２個のタブ１０８で台座１０２に装着されている。図１Ａ〜１Ｄ及び図３乃至図５に示す配置では、支柱１０４の上端部とアーチ部１０６の先端部とを互いに嵌合させること等により連結して２つの閉じたリングを形成し、書類に形成された１対のパンチ穴にアーチ部１０６を通すことで、対象となる書類をファイル機構に綴じ込めている。
【００２１】
図２Ａ〜２Ｄ及び図６乃至図９に示す配置では、支柱１０４の上端部とアーチ部１０６の先端部が互いに引き離されて非接触となり、２つのリングは開いた状態となり、パンチ穴に通されたアーチ部１０６から所望の書類だけをリングから取り外したり、リングに綴じ込んだりできる。このように、アーチ部１０６は、図１Ａ〜１Ｄ及び図３乃至図５に示すリングの閉じ位置と図２Ａ〜２Ｄ及び図６乃至図９に示すリングの開き位置との間を移動できるように、タブ１０８で装着された部分を枢軸として旋回（即ち、枢転）される構成である。
【００２２】
２個のアームを備えた構成のレバー１１０は、台座１０２から上向きに立ち上がる壁部１１２に、枢軸点１１１において枢軸の回りに回動可能に装着されている。壁部１１２は、台座１０２を形成しているのと同じ金属シートを切断して打ち抜かれたものである。レバー１１０は互いに反対方向に延びる２個の操作アーム１１４ａ，１１４ｂを有し、これらのアームを上げ下げするにより、レバー１１０を枢軸点１１１を回転軸として枢軸の回りに回動させ、支柱１０４とアーチ部１０６で形成されたリングを選択的に開いたり閉じたりすることができる。アーム１１４ａ，１１４ｂの各自由端は、安全性のためと快適に使用し易くするために、プラスチック製の弾性カバー１１４ｃ，１１４ｄが固着されている。カバー１１４ｃ，１１４ｄの色は、例えば、一方を赤色、他方を緑色のように異なった色彩として識別できるようにしてもよい。
【００２３】
特に、図３と図６に示す状態を比較すると、レバーのアーム１１４ａを下向きに枢軸の回りに回動させること、即ち、アーム１１４ｂを上向きに枢軸の回りに回動させることにより、レバー１１０の本体１１８の下端部に固定された作動ローラ１１６が、アーチ部１０６の合体する下端部と一体構成の曲げ部１２０の上部側安定位置から曲げ部１２０上をロール移動して、図６に示すトロフ部（凹部）１２２内に安定的に嵌め込まれる。その結果、曲げ部１２０に作用して偏倚させているバネ板１２４は、アーチ部１０６を支柱１０４から引き離すように、両側のタブ１０８を結ぶ枢軸線の回りに回動させる。これとは逆向きに、アーム１１４ｂを下向きに枢軸の回りに回動させること、即ち、アーム１１４ａを上向きに枢軸の回りに回動させることにより、作動ローラ１１６がロール移動して、トロフ部（凹部）１２２内の下側安定位置から曲げ部１２０に沿って図３に示す元の上側安定位置に戻り、この状態でアーチ部１０６は枢軸の回りに回動して図３に示す配置状態に戻され、アーチ部１０６の先端部は支柱１０４の先端部と合体して２つの閉じたリングを形成する。
【００２４】
両アーム１１４ａ，１１４ｂを上向き及び下向きに枢軸の回りに回動させてリングを開いたり閉じたりできることを確実にする構成例として、図１Ａに示すように、アーム１１４ｂが最下端位置にあるときのアーム１１４ｂの先端と台座１０２の底部間の距離ｘは少なくとも６ｍｍとし、図２Ａに示すように、アーム１１４ａが最下端位置にあるときのアーム１１４ａの先端と台座１０２の底部間の距離ｙもまた少なくとも６ｍｍとすることが好ましい。これにより、ユーザはそれぞれのアーム１１４ａ，１１４ｂと台座の底部間のスペースに指を入れて、必要に応じてアーム１１４ａ，１１４ｂを確実に持ち上げることが可能となる。
【００２５】
実際の使用では、アーチ部１０６が支柱１０４から分離されてリングを開くように枢軸の回りに回動されるときに、パンチ穴が形成された所望の枚数の書類をアーチ部１０６から取り出したりアーチ部１０６に綴じ込んだりすることを可能とするために、図１Ａ及び図２Ａに示すように、アーム１１４ａ，１１４ｂの先端部とそれぞれに近い方のリングとの間の水平方向の各距離ａ，ｂ，ｃ，ｄは４０ｍｍ以下とすべきである。
【００２６】
また、実際の使用では、上記の機能を補強するために、リングを閉じ状態としたり開き状態としたりするように、両者間を移行させるために必要なレバーの回転角度は４５°以下とすべきである。また、図２Ｄに示すように、リングが開き状態のときは、上方側のアーム１１４ｂとそれに近接した側のアーチ部１０６の自由端との間の垂直方向の距離ｋは、少なくとも８ｍｍとすべきであり、同様に、リングが閉じ状態のときは、上方側のアーム１１４ａとそれに近接した側のアーチ部１０６の自由端との間の垂直方向の距離もまた、少なくとも８ｍｍとすべきである。
【００２７】
このような構成とすることにより、支柱１０４とアーチ部１０６が分離してアーム１１４ｂが上方側位置にあり、リングが開き状態となるときは、所望の書類を、そのパンチ穴からアーチ部１０６を抜き取って取り出したり、書類のパンチ穴にアーチ部１０６を通して所望の書類を綴じ込んだりすることができる。
【００２８】
図１０及び図１２Ａ−１２Ｅに示すように、台座１０２に対するレバー１１０の回転角度を制限するために、レバー１００の回転動作中に壁部１１２に当接するように立上がる係止部１２６がレバー１１０の本体１１８の両側端部に設けられている。アーム１１４ａ，１１４ｂは、例えばステンレス鋼等の金属を成型することにより形成、又はステンレス鋼等の金属材の薄板で形成される。
【００２９】
アーチ部１０６が支柱１０４及び台座１０２に対して充分な回動によりリングを確実に開閉できるために、曲げ部１２０は特別な形状に設計する必要がある。図１１Ａ〜１１Ｄに示すように、特に、曲げ部１２０はその中央点に関して非対称形状に曲げられた形状である。ここで、中央点とは、図１１Ｂに明示するように、曲げ部１２０の最高地点（Ｈ）でもあり、曲げ部１２０がその最高地点Ｈから右方向に下降する傾斜度は、曲げ部１２０がその最高地点Ｈから左方向に下降する傾斜度よりも緩やかである。
【００３０】
上述のように、レバーのアーム１１４ａを下向きに枢軸の回りに回動、即ち、アーム１１４ｂを上向きに枢軸の回りに回動させることで、レバー１１０に固定されたローラ１１６は、曲げ部１２０の最高地点Ｈから曲げ部１２０の急峻な側の傾斜面に沿ってロール移動し、トロフ部（凹部）１２２内に安定的に嵌め込まれることで、リングの連結部が引き離されて開き状態とする。リングの開閉のためには、図１１Ｂに示すように、ローラが上記上側安定位置（Ｈ）とトロフ部１２２内の下側安定位置間を移動する水平距離ｆは８．５ｍｍ以内である。
【００３１】
曲げ部１２０は非対称形状であることから、バネ板１２４の位置もまた変化する。特に、バネ板１２４は曲げ部１２０の中央点Ｈに関して非対称的に配置されている。バネ板１２４は、略平行で長さが長短２つの側辺部を有する略台形の形状である。例えば、図１Ｃ及び２Ｃに示すように、上記短い方の側辺部は、曲げ部１２０の下側に作用してバイアス力（バネによる偏倚力）を加えていることが分かる。曲げ部１２０の中央点Ｈは、レバー１１０が旋回する枢軸点１１１と同じ横向きの垂直面上にあるので、バネ板１２４もまた枢軸点１１１に関して非対称的に配置されている。
【００３２】
支柱１０４に対してアーチ部１０６を確実に回動させるために、図６に明示するように、台形状のバネ板１２４の短い方の側辺部は、曲げ部１２０のトロフ部１２２の最下点とは非接触状態であるが、曲げ部１２０の中央点Ｈの近傍の曲げ部１２０の下側を支え、その支持位置にバイアス力を作用している。これにより、リングが閉じたときに、トロフ部１２２の最下点が台座１０２の底部に更に近接することが可能となる。
（実施の形態２）
【００３３】
本発明の実施の形態２に係るレバー・アーチ型ファイル機構２００を図１３Ａ〜１３Ｄ乃至図１７に示す。この実施の形態２に係るファイル機構２００と実施の形態１で説明したファイル機構１００との主な相違点は、ファイル機構２００のレバー２１０は単一の操作アーム２１０ａを備えたことであり、この単一の操作アーム２１０ａは、支柱２０４とアーチ部２０６で構成されるリングを選択的に開閉するように操作可能である。
【００３４】
特に、アーム２１０ａは、枢軸点２１１の回りに図１３Ａに示す矢印Ｇの方向に枢軸の回りに回動されて図１６に示す下方位置となると、バネ板２２４は、アーチ部２０６と一体的に形成されて合体している曲げ部２２０の下側面に上向きのバイアス力を働かせ、アーチ部２０６を支柱２０４から引き離すように枢軸の回りに回動させて、リングの連結部を分離して開き状態とする。レバー２１０の下側端部に形成された係止部２２６はレバー２１０の本体面と略直角に立ち上がり、図１７に示すように、レバー２１０の下向きの枢軸の回りに回動動作の範囲を制限し、レバー２１０が枢着された直立壁部２１２の側端部と当接し、レバー２１０が更に下向きに回転することを制限する。アーム２１０ａを、枢軸点２１１の回りに図１３Ａに示す矢印Ｇと反対の上向きに枢軸の回りに回動させると、曲げ部２２０は押し下げられ、アーチ部２０６は枢軸の回りに回動して図１４に示すような位置に戻され、支柱２０４と嵌合・連結して両リングを閉じる。
（実施の形態３）
【００３５】
本発明の実施の形態３に係るレバー・アーチ型ファイル機構３００を図１８Ａ〜１８Ｄ乃至図２２Ａ〜２２Ｄに示す。この実施の形態３に係るファイル機構３００は実施の形態１のファイル機構１００と類似した構成である。実施の形態１のファイル機構１００との主な相違点は、ファイル機構３００においてレバー３１０の回動の範囲を制限する機構にある。即ち、図２２Ａ〜２２Ｄに明示するように、レバー３１０の本体部に円弧状のスロット３３０が形成され、その円弧の中心はレバー３１０が直立壁部３１２に対して枢軸の回りに回動する枢軸点３１１と一致した配置構成である。図２１に示すように、壁部３１２に固定されたピン３３２が壁部３１２の主面から立ち上がり、レバー３１０のスロット３３０に挿入されてスロット３３０内で移動可能とした構成である。このような配置構成により、レバー３１０の壁部３１２に対する最大の回転角度範囲を、前述のように４５°以内に制限している。
【００３６】
以上、本発明の好ましい実施形態を説明したが、これにより本発明の他の変形例および異なる実施形態や適用例が本発明の精神と請求範囲から外れることのない範囲で実施可能であると理解すべきであり、従って、ここで図示に基づいて説明した実施形態は単に例示したものであり、本発明を限定するためのものではない。
【００３７】
なお、本発明の種々の異なる構成的特徴を明瞭化のために別々の実施形態として説明したが、これらの特徴を単一の実施形態として組み合わせることも可能である。また、逆に、簡潔のために本発明の種々の異なる特徴を１つの実施形態の中で説明したが、別々の実施形態又は任意の従属的な組合せ形態として説明してもよい。
【産業上の利用可能性】
【００３８】
本発明にかかるファイル機構は、簡単なレバー・アームの操作でリングを開閉する両機能を兼ね備え、利便性に優れたファイル機構として有用である。
【図面の簡単な説明】
【００３９】
【図１Ａ】本発明の第１の実施形態に係るレバー・アーチ型ファイル機構のリングが閉じた構成を示す正面図である。
【図１Ｂ】図１Ａに示すファイル機構の側面図である。
【図１Ｃ】図１Ａに示すファイル機構の上面図である。
【図１Ｄ】図１Ａに示すファイル機構のもう一方側の側面図である。
【図２Ａ】図１Ａに示すファイル機構のリングが開いた構成を示す正面図である。
【図２Ｂ】図２Ａに示すファイル機構の側面図である。
【図２Ｃ】図２Ａに示すファイル機構の上面図である。
【図２Ｄ】図２Ａに示すファイル機構のまた別の側面図である。
【図３】図１Ａに示すファイル機構の正面斜視図である。
【図４】図１Ａに示すファイル機構の後面斜視図である。
【図５】図１Ａに示すファイル機構の底面斜視図である。
【図６】図２Ａに示すファイル機構の正面斜視図である。
【図７】図２Ａに示すファイル機構の後面斜視図である。
【図８】図２Ａに示すファイル機構の底面後方斜視図である。
【図９】図２Ａに示すファイル機構の曲げ部が取り外された底面斜視図である。
【図１０】図１Ａに示すファイル機構の分解図である。
【図１１Ａ】図１Ａに示すファイル機構の曲げ部の側面図である。
【図１１Ｂ】図１１Ａに示す曲げ部の正面図である。
【図１１Ｃ】図１１Ａに示す曲げ部の上面図である。
【図１１Ｄ】図１１Ａに示す曲げ部の上面斜視図である。
【図１２Ａ】図１Ａに示すファイル機構のレバーの底面図である。
【図１２Ｂ】図１２Ａに示すレバーの正面図である。
【図１２Ｃ】図１２Ａに示すレバーの上面図である。
【図１２Ｄ】図１２Ａに示すレバーの側面図である。
【図１２Ｅ】図１２Ａに示すレバーの上面斜視図である。
【図１３Ａ】本発明の第２の実施形態に係るレバー・アーチ型ファイル機構のリングが閉じた構成を示す正面図である。
【図１３Ｂ】図１３Ａに示すファイル機構の側面図である。
【図１３Ｃ】図１３Ａに示すファイル機構の上面図である。
【図１３Ｄ】図１３Ａに示すファイル機構のもう一方側の側面図である。
【図１４】図１３Ａに示すファイル機構の正面斜視図である。
【図１５】図１３Ａに示すファイル機構の後面斜視図である。
【図１６】図１３Ａに示すファイル機構のリングが開いた構成を示す正面斜視図である。
【図１７】図１６に示すファイル機構の後面斜視図である。
【図１８Ａ】本発明の第３の実施形態に係るレバー・アーチ型ファイル機構のリングが閉じた構成を示す正面図である。
【図１８Ｂ】図１８Ａに示すファイル機構の側面図である。
【図１８Ｃ】図１８Ａに示すファイル機構の上面図である。
【図１８Ｄ】図１８Ａに示すファイル機構のもう一方側の側面図である。
【図１９】図１８Ａに示すファイル機構の正面斜視図である。
【図２０】図１８Ａに示すファイル機構の後面斜視図である。
【図２１】図１８Ａに示すファイル機構のリングが開いた構成を示す正面斜視図である。
【図２２Ａ】図１８Ａに示すファイル機構のレバーの正面図である。
【図２２Ｂ】図２２Ａに示すレバーの上面図である。
【図２２Ｃ】図２２Ａに示すレバーの側面図である。
【図２２Ｄ】図２２Ａに示すレバーの上面斜視図である。
【符号の説明】
【００４０】
１００，２００，３００  レバー・アーチ型ファイル機構、    １０２  台座、    １０４，２０４  支柱、    １０６，２０６  アーチ部、    １１０，２１０，３１０  レバー、    １２０，２２０  曲げ部、    １１４ａ，１１４ｂ，２１０ａ  アーム
【図１Ａ】
2008168616.tif 000003
【図１Ｂ】
2008168616.tif 000004
【図１Ｃ】
2008168616.tif 000005
【図１Ｄ】
2008168616.tif 000006
【図２Ａ】
2008168616.tif 000007
【図２Ｂ】
2008168616.tif 000008
【図２Ｃ】
2008168616.tif 000009
【図２Ｄ】
2008168616.tif 000010
【図３】
2008168616.tif 000011
【図４】
2008168616.tif 000012
【図５】
2008168616.tif 000013
【図６】
2008168616.tif 000014
【図７】
2008168616.tif 000015
【図８】
2008168616.tif 000016
【図９】
2008168616.tif 000017
【図１０】
2008168616.tif 000018
【図１１Ａ】
2008168616.tif 000019
【図１１Ｂ】
2008168616.tif 000020
【図１１Ｃ】
2008168616.tif 000021
【図１１Ｄ】
2008168616.tif 000022
【図１２Ａ】
2008168616.tif 000023
【図１２Ｂ】
2008168616.tif 000024
【図１２Ｃ】
2008168616.tif 000025
【図１２Ｄ】
2008168616.tif 000026
【図１２Ｅ】
2008168616.tif 000027
【図１３Ａ】
2008168616.tif 000028
【図１３Ｂ】
2008168616.tif 000029
【図１３Ｃ】
2008168616.tif 000030
【図１３Ｄ】
2008168616.tif 000031
【図１４】
2008168616.tif 000032
【図１５】
2008168616.tif 000033
【図１６】
2008168616.tif 000034
【図１７】
2008168616.tif 000035
【図１８Ａ】
2008168616.tif 000036
【図１８Ｂ】
2008168616.tif 000037
【図１８Ｃ】
2008168616.tif 000038
【図１８Ｄ】
2008168616.tif 000039
【図１９】
2008168616.tif 000040
【図２０】
2008168616.tif 000041
【図２１】
2008168616.tif 000042
【図２２Ａ】
2008168616.tif 000043
【図２２Ｂ】
2008168616.tif 000044
【図２２Ｃ】
2008168616.tif 000045
【図２２Ｄ】
2008168616.tif 000046